(57)【要約】【課題】異常発生時に消費電力を抑制させながらプラントの監視を継続する。【解決手段】制御装置３において、電源装置１５ａ、１５ｂは電源系統１９ａ、１９ｂから供給される供給電圧をそれぞれ設定電圧に変換する。複数の監視制御用機器は、設定電圧が供給されているときに、フィールド部１２からトランスミッター１１を介して出力される入力信号９を入力してプラント監視信号２ｂとして遠隔操作部１に送信し、遠隔操作部１からのプラント操作信号２ａを出力データ１０としてフィールド部１２に出力する。異常時機能縮退モード切替指令器２１は、電源装置１５ａ、１５ｂを監視し、正常時に複数の監視制御用機器に設定電圧を供給し、異常時に電源装置１５ａ、１５ｂのうちの１つの電源装置が出力不能である場合に複数の監視制御用機器のうちのプラントの監視および制御に最低限必要な設定監視制御用機器に設定電圧を供給する。【選択図】図１
2014199482.tif 000002
【特許請求の範囲】
【請求項１】
プラントを制御するためのプラント操作信号を送信する遠隔操作部と、ネットワークを介して前記遠隔操作部に接続され、前記遠隔操作部からの前記プラント操作信号に基づいてプラントを制御し、前記プラントの監視結果を表すプラント監視信号を前記遠隔操作部に前記ネットワークを介して送信する制御装置と、を具備するプラント監視制御システムであって、
前記制御装置は、
電源系統から供給される供給電圧をそれぞれ設定電圧に変換する多重化された複数の電源装置と、
前記設定電圧が供給されているときに、前記プラントの周辺機器であるフィールド部から出力される入力信号を入力して前記プラント監視信号として前記遠隔操作部に前記ネットワークを介して送信し、前記遠隔操作部からの前記プラント操作信号を出力データとして前記フィールド部に出力する複数の監視制御用機器と、
前記複数の電源装置を監視し、正常時において前記複数の監視制御用機器に前記設定電圧を供給し、異常時において前記複数の電源装置のうちの少なくとも１つの電源装置が出力不能である場合に前記複数の監視制御用機器のうちの予め選択された監視制御用機器である設定監視制御用機器に前記設定電圧を供給する異常時機能縮退モード切替指令器と、
を具備することを特徴とするプラント監視制御システム。
【請求項２】
前記遠隔操作部は、前記設定監視制御用機器を予め指定するための異常時機能縮退モード設定信号を前記制御装置に前記ネットワークを介して送信する異常時機能縮退モード設定器をさらに備え、
前記制御装置の前記異常時機能縮退モード切替指令器は、前記異常時機能縮退モード設定器から送信された前記異常時機能縮退モード設定信号を記憶する記憶部を備え、前記異常時において前記記憶部に記憶された前記異常時機能縮退モード設定信号に基づいて前記設定監視制御用機器に前記設定電圧を供給する、
ことを特徴とする請求項１に記載のプラント監視制御システム。
【請求項３】
前記制御装置の前記異常時機能縮退モード切替指令器は、前記設定監視制御用機器を指定するための異常時機能縮退モード設定信号が予め記憶された記憶部を備え、前記異常時において前記記憶部に記憶された前記異常時機能縮退モード設定信号に基づいて前記設定監視制御用機器に前記設定電圧を供給する、
ことを特徴とする請求項１に記載のプラント監視制御システム。
【請求項４】
前記制御装置は、前記設定電圧を供給可能な制御装置内蔵バッテリをさらに具備し、
前記制御装置の前記異常時機能縮退モード切替指令器は、前記異常時において前記複数の電源装置が出力不能になった場合に、前記設定監視制御用機器のうちの予め選択された監視専用機器である設定監視専用機器に前記制御装置内蔵バッテリから前記設定電圧を供給し、
前記制御装置の前記設定監視専用機器は、前記設定電圧が供給されているときに、前記フィールド部から出力される入力信号を入力し、その入力信号を前記異常時における前記プラント監視信号として前記遠隔操作部に前記ネットワークを介して送信する、
ことを特徴とする請求項１ないし請求項３のいずれか一項に記載のプラント監視制御システム。
【請求項５】
前記遠隔操作部は、前記設定電圧を供給可能な遠隔操作部内蔵バッテリをさらに具備し、
前記制御装置の前記異常時機能縮退モード切替指令器は、前記異常時において、前記複数の電源装置が出力不能になった場合に前記設定監視専用機器に前記制御装置内蔵バッテリから前記設定電圧を供給し、前記制御装置内蔵バッテリによる前記設定電圧の連続供給が可能な連続供給可能時間に達した場合に前記ネットワークを介して前記遠隔操作部の前記遠隔操作部内蔵バッテリから前記設定監視専用機器に前記設定電圧を供給する、
ことを特徴とする請求項４に記載のプラント監視制御システム。
【請求項６】
前記遠隔操作部は、前記遠隔操作部内蔵バッテリが設けられ、前記ネットワークに接続可能なネットワーク接続部を有する可動型異常時プラント監視部をさらに備え、
前記制御装置は、前記ネットワーク上の前記遠隔操作部の前記遠隔操作部内蔵バッテリと前記制御装置とを結ぶ異常時電源供給ラインを監視し、前記遠隔操作部の前記ネットワーク接続部が前記ネットワークに接続されて前記異常時電源供給ライン上に前記遠隔操作部内蔵バッテリから供給される前記設定電圧を検知した場合に検知信号を出力する異常時プラント監視部接続確認センサをさらに備え、
前記制御装置の前記異常時機能縮退モード切替指令器は、前記異常時において、前記異常時プラント監視部接続確認センサから出力された前記検知信号を受け取り、かつ、前記設定監視専用機器に前記制御装置内蔵バッテリから前記設定電圧を供給してから前記連続供給可能時間に達した場合に前記ネットワークを介して前記遠隔操作部の前記遠隔操作部内蔵バッテリから前記設定監視専用機器に前記設定電圧を供給する、
ことを特徴とする請求項５に記載のプラント監視制御システム。
【請求項７】
前記遠隔操作部の前記可動型異常時プラント監視部は、前記遠隔操作部の前記ネットワーク接続部が前記ネットワークに接続された場合、前記設定監視制御用機器の中から、前記設定監視専用機器よりも機能を縮退させる新規の設定監視専用機器を指定するための機能縮退箇所選択指令信号を前記制御装置に前記ネットワークを介して送信する機能縮退箇所選択器をさらに有し、
前記制御装置の前記異常時機能縮退モード切替指令器は、前記異常時において前記機能縮退箇所選択器から送信された前記機能縮退箇所選択指令信号に基づいて前記新規の設定監視専用機器に前記設定電圧を供給する、
ことを特徴とする請求項６に記載のプラント監視制御システム。
【請求項８】
前記制御装置の前記異常時機能縮退モード切替指令器は、前記複数の電源装置を監視した結果、前記複数の電源装置が復旧して出力可能になった場合、前記正常時において前記複数の監視制御用機器に前記設定電圧を供給する、
ことを特徴とする請求項１ないし請求項７のいずれか一項に記載のプラント監視制御システム。
【請求項９】
プラントを制御するためのプラント操作信号を送信する遠隔操作部にネットワークを介して接続され、前記遠隔操作部からの前記プラント操作信号に基づいてプラントを制御し、前記プラントの監視結果を表すプラント監視信号を前記遠隔操作部に前記ネットワークを介して送信するプラント監視制御システムの制御装置であって、
電源系統から供給される供給電圧をそれぞれ設定電圧に変換する多重化された複数の電源装置と、
前記設定電圧が供給されているときに、前記プラントの周辺機器であるフィールド部から出力される入力信号を入力して前記プラント監視信号として前記遠隔操作部に前記ネットワークを介して送信し、前記遠隔操作部からの前記プラント操作信号を出力データとして前記フィールド部に出力する複数の監視制御用機器と、
前記複数の電源装置を監視し、正常時において前記複数の監視制御用機器に前記設定電圧を供給し、異常時において前記複数の電源装置のうちの少なくとも１つの電源装置が出力不能である場合に前記複数の監視制御用機器のうちの予め選択された監視制御用機器である設定監視制御用機器に前記設定電圧を供給する異常時機能縮退モード切替指令器と、
を具備することを特徴とするプラント監視制御システムの制御装置。
【請求項１０】
プラントを制御するためのプラント操作信号を送信する遠隔操作部にネットワークを介して接続された制御装置が、前記遠隔操作部からの前記プラント操作信号に基づいてプラントを制御し、前記プラントの監視結果を表すプラント監視信号を前記遠隔操作部に前記ネットワークを介して送信するプラント監視制御方法であって、
多重化された複数の電源装置が、電源系統から供給される供給電圧をそれぞれ設定電圧に変換する工程と、
前記複数の電源装置を監視する工程と、
正常時において複数の監視制御用機器に前記設定電圧を供給する工程と、
前記複数の監視制御用機器に前記設定電圧が供給されているときに、前記複数の監視制御用機器が、前記プラントの周辺機器であるフィールド部から出力される入力信号を入力して前記プラント監視信号として前記遠隔操作部に前記ネットワークを介して送信し、前記遠隔操作部からの前記プラント操作信号を出力データとして前記フィールド部に出力する工程と、
異常時において前記複数の電源装置のうちの少なくとも１つの電源装置が出力不能である場合に前記複数の監視制御用機器のうちの予め選択された監視制御用機器である設定監視制御用機器に前記設定電圧を供給する工程と、
を具備することを特徴とするプラント監視制御方法。
【発明の詳細な説明】
【技術分野】
【０００１】
本発明の実施形態は、プラントの監視および制御を行うプラント監視制御システム、その制御装置、および、プラント監視制御方法に関する。
【背景技術】
【０００２】
遠隔地からプラントの監視および制御を行うプラント監視制御システムが開発されている（たとえば特許文献１）。近年では、震災などの異常発生時に備えて電源構成を多重化したものが開発されている。
【０００３】
図１３は、従来のプラント監視制御システムとして、電源構成が多重化されたプラント監視制御システムの構成を示すブロック図である。
【０００４】
従来のプラント監視制御システムは、遠隔操作部１と、制御装置３と、トランスミッター１１と、フィールド部１２と、多重化された２つの分電盤１３ａおよび１３ｂと、トランスミッター電源供給元１７と、多重化された２つの電源系統１９ａおよび１９ｂと、多重化された２つの非常用電源３０ａおよび３０ｂとを具備している。
【０００５】
遠隔操作部１は、制御装置３に対して遠隔地に設けられ、ネットワークを介して制御装置３に接続されている。遠隔操作部１は、プラントを制御するためのプラント操作信号２ａを制御装置３にネットワークを介して送信する。
【０００６】
フィールド部１２はプラントの周辺機器であり、周辺機器としてはプラントに設けられるセンサや機器などが挙げられる。トランスミッター電源供給元１７はトランスミッター１１に電圧を供給する。
【０００７】
分電盤１３ａおよび１３ｂはそれぞれ電源系統１９ａおよび１９ｂに接続されている。電源系統１９ａおよび１９ｂは供給電圧を供給する。さらに異常発生時における不測の事態に備えて、電源系統１９ａおよび１９ｂには、それぞれ非常用電源３０ａおよび３０ｂが接続されている。
【０００８】
制御装置３は、遠隔操作部１からのプラント操作信号２ａに基づいてプラントを制御し、プラントの監視結果を表すプラント監視信号２ｂを遠隔操作部１に前記ネットワークを介して送信する。その制御装置３は、多重化された２つの制御部４ａおよび４ｂと、入力部５−１〜５−ｎ（ｎは２以上の整数）と、出力部６−１〜６−ｎと、リレー部７−１〜７−ｎと、その他の装置８−１〜８−ｎと、多重化された２つの電源監視器１４ａおよび１４ｂと、多重化された２つの電源装置１５ａおよび１５ｂと、入出力装置１８とを具備している。
【０００９】
電源装置１５ａおよび１５ｂの入力は、それぞれ電源監視器１４ａおよび１４ｂを介して分電盤１３ａおよび１３ｂに接続されている。電源装置１５ａおよび１５ｂは、それぞれ電源系統１９ａおよび１９ｂから分電盤１３ａおよび１３ｂを介して供給される供給電圧を設定電圧に変換する。電源装置１５ａおよび１５ｂは、制御部４ａおよび４ｂと、入力部５−１〜５−ｎと、出力部６−１〜６−ｎと、リレー部７−１〜７−ｎと、その他の装置８−１〜８−ｎとに電源ライン１６を介して設定電圧を供給する。
【００１０】
入力部５−１〜５−ｎは、設定電圧が供給されているときに、フィールド部１２からトランスミッター１１を介して出力される入力信号９を入力する。
【００１１】
制御部４ａおよび４ｂは、入力部５−１〜５−ｎからの入力信号９をプラント監視信号２ｂとして遠隔操作部１にネットワークを介して送信し、遠隔操作部１からのプラント操作信号２ａを出力データ１０として出力部６−１〜６−ｎを介してフィールド部１２に出力する。
【００１２】
遠隔操作部１は、表示器５１を備えている。表示器５１は、プラント監視信号２ｂが表す監視結果を表示する。
【００１３】
このように、従来のプラント監視制御システムでは、電源系統１９ａおよび１９ｂからそれぞれ分電盤１３ａおよび１３ｂを介して制御装置３に供給電圧を供給している。このため、震災などが発生して電源系統１９ａおよび１９ｂのどちらかの電圧供給が不能になったとしても電源構成が多重化されているため、制御装置３はプラントの監視および制御を継続することができる。
【先行技術文献】
【特許文献】
【００１４】
【特許文献１】実開平０１−０７９１０３号公報
【発明の概要】
【発明が解決しようとする課題】
【００１５】
しかし、異常発生時において電源系統１９ａおよび１９ｂのどちらかの電圧供給が不能になった場合、電力不足に陥る可能性がある。電力不足に陥った場合、制御装置３はプラントの監視および制御を継続できなくなる可能性があるが、その場合でも現状を把握するために、電力が復旧するまでにプラントの監視だけでも継続したいという要望がある。
【００１６】
ここで、分電盤１３ａに交流電圧を供給電圧として受電させ、分電盤１３ｂに無停電電源もしくはバッテリの電圧を供給電圧として受電させるなどして、少なくとも１つの電源系統は無停電電源やバッテリから供給されるようにすることもできる。しかし震災などが起こった場合、無停電電源やバッテリからも分電盤１３ｂへの電源供給が停止し、制御装置３はプラントの監視を継続することができない可能性がある。
【００１７】
異常発生時における不測の事態に備えて、非常用電源３０ａ、３０ｂを準備しているが、震災などの影響で使用できない可能性がある。このように、異常時を想定した対策はとられていないのが現状である。
【００１８】
そのため、本実施形態が解決しようとする課題は、異常発生時に消費電力を抑制させながらプラントの監視を継続することにある。
【課題を解決するための手段】
【００１９】
実施形態のプラント監視制御システムは、プラントを制御するためのプラント操作信号を送信する遠隔操作部と、ネットワークを介して前記遠隔操作部に接続され、前記遠隔操作部からの前記プラント操作信号に基づいてプラントを制御し、前記プラントの監視結果を表すプラント監視信号を前記遠隔操作部に前記ネットワークを介して送信する制御装置と、を具備するプラント監視制御システムであって、前記制御装置は、電源系統から供給される供給電圧をそれぞれ設定電圧に変換する多重化された複数の電源装置と、前記設定電圧が供給されているときに、前記プラントの周辺機器であるフィールド部から出力される入力信号を入力して前記プラント監視信号として前記遠隔操作部に前記ネットワークを介して送信し、前記遠隔操作部からの前記プラント操作信号を出力データとして前記フィールド部に出力する複数の監視制御用機器と、前記複数の電源装置を監視し、正常時において前記複数の監視制御用機器に前記設定電圧を供給し、異常時において前記複数の電源装置のうちの少なくとも１つの電源装置が出力不能である場合に前記複数の監視制御用機器のうちの予め選択された監視制御用機器である設定監視制御用機器に前記設定電圧を供給する異常時機能縮退モード切替指令器と、を具備することを特徴とする。
【００２０】
実施形態のプラント監視制御システムの制御装置は、プラントを制御するためのプラント操作信号を送信する遠隔操作部にネットワークを介して接続され、前記遠隔操作部からの前記プラント操作信号に基づいてプラントを制御し、前記プラントの監視結果を表すプラント監視信号を前記遠隔操作部に前記ネットワークを介して送信するプラント監視制御システムの制御装置であって、電源系統から供給される供給電圧をそれぞれ設定電圧に変換する多重化された複数の電源装置と、前記設定電圧が供給されているときに、前記プラントの周辺機器であるフィールド部から出力される入力信号を入力して前記プラント監視信号として前記遠隔操作部に前記ネットワークを介して送信し、前記遠隔操作部からの前記プラント操作信号を出力データとして前記フィールド部に出力する複数の監視制御用機器と、前記複数の電源装置を監視し、正常時において前記複数の監視制御用機器に前記設定電圧を供給し、異常時において前記複数の電源装置のうちの少なくとも１つの電源装置が出力不能である場合に前記複数の監視制御用機器のうちの予め選択された監視制御用機器である設定監視制御用機器に前記設定電圧を供給する異常時機能縮退モード切替指令器と、を具備することを特徴とする。
【００２１】
実施形態のプラント監視制御方法は、プラントを制御するためのプラント操作信号を送信する遠隔操作部にネットワークを介して接続された制御装置が、前記遠隔操作部からの前記プラント操作信号に基づいてプラントを制御し、前記プラントの監視結果を表すプラント監視信号を前記遠隔操作部に前記ネットワークを介して送信するプラント監視制御方法であって、多重化された複数の電源装置が、電源系統から供給される供給電圧をそれぞれ設定電圧に変換する工程と、前記複数の電源装置を監視する工程と、正常時において複数の監視制御用機器に前記設定電圧を供給する工程と、前記複数の監視制御用機器に前記設定電圧が供給されているときに、前記複数の監視制御用機器が、前記プラントの周辺機器であるフィールド部から出力される入力信号を入力して前記プラント監視信号として前記遠隔操作部に前記ネットワークを介して送信し、前記遠隔操作部からの前記プラント操作信号を出力データとして前記フィールド部に出力する工程と、異常時において前記複数の電源装置のうちの少なくとも１つの電源装置が出力不能である場合に前記複数の監視制御用機器のうちの予め選択された監視制御用機器である設定監視制御用機器に前記設定電圧を供給する工程と、を具備することを特徴とする。
【発明の効果】
【００２２】
本発明の実施形態によれば、異常発生時に消費電力を抑制させながらプラントの監視を継続することができる。
【図面の簡単な説明】
【００２３】
【図１】第１実施形態に係るプラント監視制御システムの構成を示すブロック図である。
【図２】第１実施形態に係るプラント監視制御システムにおいて、多重化による複数の監視制御用機器の構成を示すブロック図である。
【図３】第１実施形態に係るプラント監視制御システムにおいて、制御装置の異常時機能縮退モード切替指令器の記憶部に記憶される情報を示している。
【図４】第１実施形態に係るプラント監視制御システムの動作を示すフローチャートである。
【図５】第１実施形態に係るプラント監視制御システムの動作として、図４のステップＳ５の監視制御処理を示すフローチャートである。
【図６】第２実施形態に係るプラント監視制御システムの構成を示すブロック図である。
【図７】第２実施形態に係るプラント監視制御システムにおいて、制御装置の異常時機能縮退モード切替指令器の記憶部に記憶される情報を示している。
【図８】第２実施形態に係るプラント監視制御システムの動作として、図４のステップＳ５の監視制御処理を示すフローチャートである。
【図９】第３実施形態に係るプラント監視制御システムの構成を示すブロック図である。
【図１０】第３実施形態に係るプラント監視制御システムの動作として、図８のステップＳ２３の処理を示すフローチャートである。
【図１１】第４実施形態に係るプラント監視制御システムの構成を示すブロック図である。
【図１２】第４実施形態に係るプラント監視制御システムの動作として、図８のステップＳ２３の処理を示すフローチャートである。
【図１３】従来のプラント監視制御システムの構成を示すブロック図である。
【発明を実施するための形態】
【００２４】
以下、本発明に係るプラント監視制御システムの実施形態について、図面を参照して説明する。ここで、従来のプラント監視制御システムに対して互いに同一または類似の部分には共通の符号を付して、重複説明を省略する。
【００２５】
［第１実施形態］
（構成）
図１は、第１実施形態に係るプラント監視制御システムの構成を示すブロック図である。
【００２６】
第１実施形態に係るプラント監視制御システムの遠隔操作部１は、従来のプラント監視制御システムの遠隔操作部１に対して、異常時機能縮退モード設定器２０をさらに具備している。
【００２７】
第１実施形態に係るプラント監視制御システムの制御装置３は、従来のプラント監視制御システムの制御装置３に対して、異常時機能縮退モード切替指令器２１と、制御装置供給電源切替器２５−１および２５−２と、入出力装置供給電源切替器２６と、入出力信号切替器２７と、リレー部供給電源切替器２８−１〜２８−ｎと、その他の装置供給電源切替器２９−１〜２９−ｎとをさらに具備している。
【００２８】
制御装置供給電源切替器２５−１および２５−２は、それぞれ、電源装置１５ａおよび１５ｂの出力に接続された電源ライン１６と制御部４ａおよび４ｂとの間に設けられたスイッチを有している。入出力装置供給電源切替器２６は、電源ライン１６と入力部５−１〜５−ｎおよび出力部６−１〜６−ｎとの間に設けられた複数のスイッチを有している。入出力信号切替器２７は、入力部５−１〜５−ｎとトランスミッター１１との間に設けられた複数のスイッチと、出力部６−１〜６−ｎとフィールド部１２との間に設けられた複数のスイッチとを有している。
【００２９】
リレー部供給電源切替器２８−１〜２８−ｎは、電源ライン１６とリレー部７−１〜７−ｎとの間に設けられたスイッチを有している。その他の装置供給電源切替器２９−１〜２９−ｎは、電源ライン１６とその他の装置８−１〜８−ｎとの間に設けられたスイッチを有している。
【００３０】
異常時機能縮退モード切替指令器２１は、異常時機能縮退モード指令信号２３を制御装置供給電源切替器２５−１および２５−２と入出力装置供給電源切替器２６と入出力信号切替器２７とリレー部供給電源切替器２８−１〜２８−ｎとその他の装置供給電源切替器２９−１〜２９−ｎとに出力する。制御装置供給電源切替器２５−１および２５−２と入出力装置供給電源切替器２６と入出力信号切替器２７とリレー部供給電源切替器２８−１〜２８−ｎとその他の装置供給電源切替器２９−１〜２９−ｎとの各スイッチは、たとえば、異常時機能縮退モード指令信号２３の値が“０”である場合にオンし、異常時機能縮退モード指令信号２３の値が“１”である場合にオフする。
【００３１】
第１実施形態に係るプラント監視制御システムでは、制御部４ａおよび４ｂが多重化されていることにより、複数の監視制御用機器８０−１ａ〜８０−ｎａ、８０−１ｂ〜８０−ｎｂが構成される。
【００３２】
図２は、第１実施形態に係るプラント監視制御システムにおいて、監視制御用機器８０−１ａ〜８０−ｎａ、８０−１ｂ〜８０−ｎｂの構成を示すブロック図である。
【００３３】
入力部５−１〜５−ｎ、出力部６−１〜６−ｎ、リレー部７−１〜７−ｎ、および、その他の装置８−１〜８−ｎは、２つのグループに振り分けられる。
【００３４】
たとえば、制御部４ａを含むグループとして、制御部４ａと入力部５−１、出力部６−１、リレー部７−１、および、その他の装置８−１は監視制御用機器８０−１ａを構成し、制御部４ａと入力部５−ｎ、出力部６−ｎ、リレー部７−ｎ、および、その他の装置８−ｎは監視制御用機器８０−ｎａを構成する。また、制御部４ｂを含むグループとして、制御部４ｂと入力部５−１、出力部６−１、リレー部７−１、および、その他の装置８−１は監視制御用機器８０−１ｂを構成し、制御部４ｂと入力部５−ｎ、出力部６−ｎ、リレー部７−ｎ、および、その他の装置８−ｎは監視制御用機器８０−ｎｂを構成する。
【００３５】
第１実施形態に係るプラント監視制御システムにおいて、制御装置３の異常時機能縮退モード切替指令器２１は、記憶部８１を備えている。図３は、第１実施形態に係るプラント監視制御システムにおいて、記憶部８１に記憶される情報を示している。記憶部８１は、監視制御用機器８０−１ａ〜８０−ｎａ、８０−１ｂ〜８０−ｎｂを表す情報を記憶している。
【００３６】
第１実施形態に係るプラント監視制御システムでは、電源装置１５ａおよび１５ｂのうちの１つの電源装置が出力不能である場合にプラントの監視および制御に最低限必要な機器として、監視制御用機器８０−１ａ〜８０−ｎａ、８０−１ｂ〜８０−ｎｂから後述の設定監視制御用機器に機能を縮退させる。
【００３７】
（作用）
図４は、第１実施形態に係るプラント監視制御システムの動作を示すフローチャートである。
【００３８】
まず、監視制御用機器８０−１ａ〜８０−ｎａ、８０−１ｂ〜８０−ｎｂのうちの設定監視制御用機器８０−１ａが作業員により予め選択される。設定監視制御用機器８０−１ａは、電源装置１５ａおよび１５ｂのうちの１つの電源装置が出力不能である場合にプラントの監視および制御に最低限必要な監視制御用の機器である。遠隔操作部１の異常時機能縮退モード設定器２０は、設定監視制御用機器８０−１ａを予め指定するための異常時機能縮退モード設定信号２２を制御装置３にネットワークを介して送信する（ステップＳ１）。
【００３９】
制御装置３の異常時機能縮退モード切替指令器２１は、異常時機能縮退モード設定器２０から送信された異常時機能縮退モード設定信号２２を受信した場合（ステップＳ２−ＹＥＳ）、監視制御用機器８０−１ａを表す情報に対応付けて異常時機能縮退モード設定信号２２を記憶部８１に格納する（ステップＳ４）。
【００４０】
具体的には、ステップＳ４において、異常時機能縮退モード設定信号２２により監視制御用機器８０−１ａを指定するための情報として、監視制御用機器８０−１ａに対して“有効”を表す情報を記憶部８１に格納し、それ以外の監視制御用機器８０−２ａ〜８０−ｎａ、８０−１ｂ〜８０−ｎｂに対して“無効”を表す情報を記憶部８１に格納する（図３参照）。
【００４１】
本実施形態において、遠隔操作部１から異常時機能縮退モード設定信号２２により設定監視制御用機器８０−１ａを指定しているが、制御装置３自身で設定監視制御用機器８０−１ａを指定してもよい。この場合、制御装置３の異常時機能縮退モード切替指令器２１は、作業員の操作により上述の異常時機能縮退モード設定信号２２を入力し（ステップＳ３−ＹＥＳ）、監視制御用機器８０−１ａを表す情報に対応付けて異常時機能縮退モード設定信号２２を記憶部８１に格納する（ステップＳ４）。
【００４２】
遠隔操作部１は、プラントを制御するためのプラント操作信号２ａを制御装置３にネットワークを介して送信する。このとき、制御装置３は、遠隔操作部１からのプラント操作信号２ａに基づいてプラントを制御し、プラントの監視結果を表すプラント監視信号２ｂを遠隔操作部１に前記ネットワークを介して送信する（ステップＳ５；監視制御処理）。遠隔操作部１の表示器５１は、プラント監視信号２ｂが表す監視結果を表示する（ステップＳ６）。
【００４３】
図５は、第１実施形態に係るプラント監視制御システムの動作として、図４のステップＳ５の監視制御処理を示すフローチャートである。
【００４４】
制御装置３の異常時機能縮退モード切替指令器２１は、電源装置１５ａおよび１５ｂを監視する（ステップＳ１１）。
【００４５】
具体的には、ステップＳ１１において、電源監視器１４ａおよび１４ｂは、それぞれ、電源系統１９ａおよび１９ｂから分電盤１３ａおよび１３ｂを介して電源装置１５ａおよび１５ｂの入力に供給される供給電圧を監視し、電源監視信号２４として出力する。たとえば、電源装置１５ａおよび１５ｂとも供給電圧が供給される場合は電源監視信号２４の値を“１１”とし、電源装置１５ａだけ供給電圧が供給される場合は電源監視信号２４の値を“１０”とし、電源装置１５ｂだけ供給電圧が供給される場合は電源監視信号２４の値を“０１”とし、電源装置１５ａおよび１５ｂとも供給電圧が供給されない場合は電源監視信号２４の値を“００”とする。
【００４６】
ここで、電源監視信号２４の値が“１１”である場合、すなわち、電源装置１５ａおよび１５ｂの両方が出力可能である場合を正常時と称し、それ以外の場合を異常時と称する。
【００４７】
正常時である場合（ステップＳ１２−ＹＥＳ）、制御装置３の異常時機能縮退モード切替指令器２１は、監視制御用機器８０−１ａ〜８０−ｎａ、８０−１ｂ〜８０−ｎｂに対して、電源装置１５ａおよび１５ｂから出力される設定電圧を供給する（ステップＳ１３）。
【００４８】
具体的には、ステップＳ１３において、異常時機能縮退モード切替指令器２１は、異常時機能縮退モード指令信号２３を制御装置供給電源切替器２５−１および２５−２と入出力装置供給電源切替器２６と入出力信号切替器２７とリレー部供給電源切替器２８−１〜２８−ｎとその他の装置供給電源切替器２９−１〜２９−ｎとの各スイッチに出力する異常時機能縮退モード指令信号２３の値を“０”にする。この場合、これらの各スイッチは、異常時機能縮退モード指令信号２３の値“０”に応じてオンする。
【００４９】
また、ステップＳ１３において、監視制御用機器８０−１ａ〜８０−ｎａ、８０−１ｂ〜８０−ｎｂは、設定電圧が供給されているときに、フィールド部１２からトランスミッター１１を介して出力される入力信号９を入力して、その入力信号９をプラント監視信号２ｂとして遠隔操作部１にネットワークを介して送信し、遠隔操作部１からのプラント操作信号２ａを出力データ１０としてフィールド部１２に出力する。
【００５０】
一方、異常時であり（ステップＳ１２−ＮＯ）、電源監視信号２４の値が“１０”または“０１”である場合、すなわち、電源装置１５ａおよび１５ｂのうちの１つの電源装置、たとえば電源装置１５ｂが出力不能である場合（ステップＳ１４）、制御装置３の異常時機能縮退モード切替指令器２１は、記憶部８１に記憶された異常時機能縮退モード設定信号２２に基づいて、監視制御用機器８０−１ａ〜８０−ｎａ、８０−１ｂ〜８０−ｎｂの中から設定監視制御用機器８０−１ａを選択する。
【００５１】
この場合、制御装置３の異常時機能縮退モード切替指令器２１は、消費電力を抑制させるために、監視制御用機器８０−１ａ〜８０−ｎａ、８０−１ｂ〜８０−ｎｂのうちの設定監視制御用機器８０−１ａに対して、電源装置１５ａから出力される設定電圧を供給する（ステップＳ１５）。
【００５２】
具体的には、ステップＳ１５において、異常時機能縮退モード切替指令器２１は、設定監視制御用機器８０−１ａの指定として、制御装置供給電源切替器２５−２のスイッチと、入出力装置供給電源切替器２６の入力部５−２〜５−ｎおよび出力部６−２〜６−ｎに接続されたスイッチと、入出力信号切替器２７の入力部５−２〜５−ｎおよび出力部６−２〜６−ｎに接続されたスイッチと、リレー部供給電源切替器２８−２〜２８−ｎのスイッチと、その他の装置供給電源切替器２９−２〜２９−ｎのスイッチとに出力する異常時機能縮退モード指令信号２３の値を“１”にする。この場合、これらの各スイッチは、異常時機能縮退モード指令信号２３の値“１”に応じてオフする。
【００５３】
また、ステップＳ１５において、設定監視制御用機器８０−１ａは、設定電圧が供給されているときに、フィールド部１２からトランスミッター１１を介して出力される入力信号９を入力して、その入力信号９をプラント監視信号２ｂとして遠隔操作部１にネットワークを介して送信し、遠隔操作部１からのプラント操作信号２ａを出力データ１０としてフィールド部１２に出力する。
【００５４】
制御装置３の異常時機能縮退モード切替指令器２１は、電源装置１５ａおよび１５ｂを監視した結果、電源装置１５ｂが復旧しないで未だに出力不能である場合（ステップＳ１６−ＮＯ）、ステップＳ１５を継続し、電源装置１５ａおよび１５ｂとも復旧して出力可能になった場合（ステップＳ１６−ＹＥＳ）、ステップＳ１１以降を実行する。
【００５５】
（効果）
第１実施形態に係るプラント監視制御システムでは、遠隔操作部１の異常時機能縮退モード設定器２０、あるいは、制御装置３の異常時機能縮退モード切替指令器２１によって、予め縮退箇所として、監視制御用機器８０−１ａ〜８０−ｎａ、８０−１ｂ〜８０−ｎｂのうちの設定監視制御用機器８０−１ａを指定しておくことで、電源装置１５ａおよび１５ｂのうちの電源装置１５ｂが出力不能になるような異常発生時において、異常時機能縮退モード切替指令器２１が自動的にプラントの監視および制御に必要最低限の機器（設定監視制御用機器８０−１ａ）のみへ電圧供給するとともに、設定監視制御用機器８０−１ａがプラントの監視および制御に必要最低限の信号のみ入出力を行う。このため、第１実施形態に係るプラント監視制御システムによれば、異常発生時に消費電力を抑制させながらプラントの監視および制御を継続することができる。
【００５６】
［第２実施形態］
第２実施形態について、第１実施形態からの変更点のみ説明する。ここで、説明部分以外の部分は第１実施形態と同じである。
【００５７】
（構成）
図６は、第２実施形態に係るプラント監視制御システムの構成を示すブロック図である。
【００５８】
第２実施形態に係るプラント監視制御システムは、第１実施形態に係るプラント監視制御システムに対して、トランスミッター電源切替器５３をさらに具備している。
【００５９】
第２実施形態に係るプラント監視制御システムの遠隔操作部１は、第１実施形態における遠隔操作部１に対して、遠隔操作部内蔵バッテリ５０をさらに具備している。遠隔操作部内蔵バッテリ５０は、設定電圧に対応する電荷が充電され、異常時に使用される場合に放電により設定電圧を供給する。
【００６０】
第２実施形態に係るプラント監視制御システムの制御装置３は、第１実施形態における制御装置３に対して、内蔵バッテリ切替器５２と、制御装置内蔵バッテリ５４とをさらに具備している。制御装置内蔵バッテリ５４は、設定電圧に対応する電荷が充電され、異常時に使用される場合に放電により設定電圧を供給する。
【００６１】
制御装置３の内蔵バッテリ切替器５２はスイッチを有している。そのスイッチは正常用端子５２ａと異常用端子５２ｂと共通端子５２ｃとを備え、共通端子５２ｃは電源装置１５ａおよび１５ｂと制御装置供給電源切替器２５−１、２５−２、入出力装置供給電源切替器２６、入出力信号切替器２７およびリレー部供給電源切替器２８−１〜２８−ｎの入力側に接続されている。正常用端子５２ａは電源装置１５ａおよび１５ｂの出力側に接続され、内蔵バッテリ切替器５２は、異常時機能縮退モード指令信号２３の値が“０”である場合に正常用端子５２ａと共通端子５２ｃとを接続する。異常用端子５２ｂは制御装置内蔵バッテリ５４の出力側に接続され、内蔵バッテリ切替器５２は、異常時機能縮退モード指令信号２３の値が“１”である場合に異常用端子５２ｂと共通端子５２ｃとを接続する。
【００６２】
トランスミッター電源切替器５３はスイッチを有している。そのスイッチは正常用端子５３ａと異常用端子５３ｂと共通端子５３ｃとを備え、共通端子５３ｃはトランスミッター１１に接続されている。正常用端子５３ａはトランスミッター電源供給元１７の出力側に接続され、トランスミッター電源切替器５３は、異常時機能縮退モード指令信号２３の値が“０”である場合に正常用端子５３ａと共通端子５３ｃとを接続する。異常用端子５３ｂは内蔵バッテリ切替器５２の共通端子５２ｃに接続され、トランスミッター電源切替器５３は、異常時機能縮退モード指令信号２３の値が“１”である場合に異常用端子５３ｂと共通端子５３ｃとを接続する。
【００６３】
第２実施形態に係るプラント監視制御システムでは、電源装置１５ａおよび１５ｂの両方が出力不能である場合にプラントの監視に最低限必要な機器として、前述の設定監視制御用機器８０−１ａから後述の設定監視専用機器に機能を縮退させる。
【００６４】
（作用）
次に、第２実施形態に係るプラント監視制御システムの動作について図４および図７を用いて説明する。図４は第１実施形態と同様であるが、第２実施形態に係るプラント監視制御システムの動作については、第１実施形態に係るプラント監視制御システムの動作とは若干異なる。図７は、第２実施形態に係るプラント監視制御システムにおいて、制御装置３の異常時機能縮退モード切替指令器２１の記憶部８１に記憶される情報を示している。
【００６５】
まず、ステップＳ１において、監視制御用機器８０−１ａ〜８０−ｎａ、８０−１ｂ〜８０−ｎｂのうちの前述の設定監視制御用機器８０−１ａが作業員により予め選択され、さらに、設定監視制御用機器８０−１ａのうちの設定監視専用機器８０−１ａ’（図７参照）が作業員により予め選択される。設定監視制御用機器８０−１ａは、前述のように、電源装置１５ａおよび１５ｂのうちの１つの電源装置が出力不能である場合にプラントの監視および制御に最低限必要な監視制御用の機器である。これに対して、設定監視専用機器８０−１ａ’は、電源装置１５ａおよび１５ｂの両方が出力不能である場合にプラントの監視に最低限必要な監視専用の機器である。遠隔操作部１の異常時機能縮退モード設定器２０は、設定監視制御用機器８０−１ａおよび設定監視専用機器８０−１ａ’を予め指定するための異常時機能縮退モード設定信号２２を制御装置３にネットワークを介して送信する。
【００６６】
次に、ステップＳ４において、制御装置３の異常時機能縮退モード切替指令器２１は、監視制御用機器８０−１ａを表す情報に対応付けて異常時機能縮退モード設定信号２２を記憶部８１に格納する。
【００６７】
具体的には、ステップＳ４において、異常時機能縮退モード設定信号２２により監視制御用機器８０−１ａを予め指定するための情報として、監視制御用機器８０−１ａに対して“有効”を表す情報を記憶部８１に格納し、それ以外の監視制御用機器８０−２ａ〜８０−ｎａ、８０−１ｂ〜８０−ｎｂに対して“無効”を表す情報を記憶部８１に格納する。さらに、異常時機能縮退モード設定信号２２により設定監視専用機器８０−１ａ’を予め指定するための情報として、監視制御用機器８０−１ａから、たとえば出力部６−１、リレー部７−１およびその他の装置８−１を除くための情報を記憶部８１に格納する（図７参照）。
【００６８】
その後に、ステップＳ５（監視制御処理）、および、前述のステップＳ６が実行される。
【００６９】
図８は、第２実施形態に係るプラント監視制御システムの動作として、図４のステップＳ５の監視制御処理を示すフローチャートである。
【００７０】
まず、前述のステップＳ１１が実行される。
【００７１】
正常時である場合（ステップＳ１２−ＹＥＳ）、前述のステップＳ１３が実行される。
【００７２】
ここで、ステップＳ１３において、異常時機能縮退モード切替指令器２１は、制御装置供給電源切替器２５−１および２５−２と入出力装置供給電源切替器２６と入出力信号切替器２７とリレー部供給電源切替器２８−１〜２８−ｎとその他の装置供給電源切替器２９−１〜２９−ｎとの各スイッチに加えて、内蔵バッテリ切替器５２と、トランスミッター電源切替器５３とに出力する異常時機能縮退モード指令信号２３の値を“０”にする。この場合、内蔵バッテリ切替器５２は異常時機能縮退モード指令信号２３の値“０”に応じて正常用端子５２ａと共通端子５２ｃとを接続し、トランスミッター電源切替器５３は異常時機能縮退モード指令信号２３の値“０”に応じて正常用端子５３ａと共通端子５３ｃとを接続する。
【００７３】
一方、異常時であり（ステップＳ１２−ＮＯ）、電源監視信号２４の値が“１０”または“０１”である場合、すなわち、電源装置１５ａおよび１５ｂのうちの１つの電源装置、たとえば電源装置１５ｂが出力不能である場合（ステップＳ２１−ＹＥＳ）、前述のステップＳ１５およびＳ１６が実行される。
【００７４】
また、異常時であり（ステップＳ１２−ＮＯ）、電源監視信号２４の値が“００”である場合、すなわち、電源装置１５ａおよび１５ｂの両方が出力不能である場合（ステップＳ２１−ＮＯ、Ｓ２２）、制御装置３の異常時機能縮退モード切替指令器２１は、記憶部８１に記憶された異常時機能縮退モード設定信号２２に基づいて、設定監視制御用機器８０−１ａの中から設定監視専用機器８０−１ａ’を選択する。
【００７５】
この場合、制御装置３の異常時機能縮退モード切替指令器２１は、１つの電源装置が出力不能である場合よりも消費電力をさらに抑制させるために、設定監視制御用機器８０−１ａのうちの設定監視専用機器８０−１ａ’に対して、制御装置内蔵バッテリ５４から設定電圧を供給する（ステップＳ２３）。
【００７６】
具体的には、ステップＳ２３において、異常時機能縮退モード切替指令器２１は、設定監視専用機器８０−１ａ’の指定として、設定監視制御用機器８０−１ａの指定に対して、さらに、入出力装置供給電源切替器２６の出力部６−１に接続されたスイッチと、リレー部供給電源切替器２８−１のスイッチと、その他の装置供給電源切替器２９−１のスイッチとに出力する異常時機能縮退モード指令信号２３の値を“１”にする。この場合、これらの各スイッチは、異常時機能縮退モード指令信号２３の値“１”に応じてオフする。
【００７７】
さらに、ステップＳ２３において、異常時機能縮退モード切替指令器２１は、内蔵バッテリ切替器５２と、トランスミッター電源切替器５３とに出力する異常時機能縮退モード指令信号２３の値を“１”にする。この場合、内蔵バッテリ切替器５２は、異常時機能縮退モード指令信号２３の値“１”に応じて、正常用端子５２ａと共通端子５２ｃとの接続を解除し、異常用端子５２ｂと共通端子５２ｃとを接続する。トランスミッター電源切替器５３は、異常時機能縮退モード指令信号２３の値“１”に応じて、正常用端子５３ａと共通端子５３ｃとの接続を解除し、異常用端子５３ｂと共通端子５３ｃとを接続する。
【００７８】
ステップＳ２３において、設定監視専用機器８０−１ａ’は、設定電圧が供給されているときに、フィールド部１２からトランスミッター１１を介して出力される入力信号９を入力して、その入力信号９を異常時プラント監視信号５５として遠隔操作部１にネットワークを介して送信する。異常時プラント監視信号５５は、異常時における前述のプラント監視信号２ｂである。
【００７９】
制御装置３の異常時機能縮退モード切替指令器２１は、電源装置１５ａおよび１５ｂを監視した結果、電源装置１５ａおよび１５ｂの両方が復旧しないで未だに出力不能である場合（ステップＳ２４−ＮＯ）、ステップＳ２３を継続し、電源装置１５ａおよび１５ｂとも復旧して出力可能になった場合（ステップＳ２４−ＹＥＳ）、ステップＳ１１以降を実行する。
【００８０】
また、ステップＳ６において、遠隔操作部１の表示器５１は、異常時プラント監視信号５５が表す監視結果を表示するが、異常時において監視結果を表示するための電圧供給がない場合、遠隔操作部内蔵バッテリ５０から供給される設定電圧により監視結果を表示する。
【００８１】
（効果）
第２実施形態に係るプラント監視制御システムでは、遠隔操作部１の異常時機能縮退モード設定器２０、あるいは、制御装置３の異常時機能縮退モード切替指令器２１によって、予め縮退箇所として、監視制御用機器８０−１ａ〜８０−ｎａ、８０−１ｂ〜８０−ｎｂのうちの設定監視制御用機器８０−１ａを指定しておき、さらに、設定監視制御用機器８０−１ａのうちの設定監視専用機器８０−１ａ’を指定しておくことで、電源装置１５ａおよび１５ｂの両方が出力不能になるような異常発生時において、異常時機能縮退モード切替指令器２１が自動的にプラントの監視に必要最低限の機器（設定監視専用機器８０−１ａ’）のみへ電圧供給するとともに、設定監視専用機器８０−１ａ’がプラントの監視に必要最低限の信号のみ入出力を行う。このため、第２実施形態に係るプラント監視制御システムによれば、異常発生時に消費電力を抑制させながらプラントの監視を継続することができる。
【００８２】
また、第２実施形態に係るプラント監視制御システムでは、電源装置１５ａおよび１５ｂのうちの電源装置１５ｂが出力不能になるような異常発生時において、設定監視専用機器８０−１ａ’への電圧供給は制御装置内蔵バッテリ５４から行われるが、設定監視専用機器８０−１ａ’がプラントの監視に必要最低限の信号のみ入出力を行うため、制御装置内蔵バッテリ５４の消費電力も抑制できる。
【００８３】
［第３実施形態］
第３実施形態について、第２実施形態からの変更点のみ説明する。ここで、説明部分以外の部分は第２実施形態と同じである。
【００８４】
（構成）
図９は、第３実施形態に係るプラント監視制御システムの構成を示すブロック図である。
【００８５】
第３実施形態に係るプラント監視制御システムの遠隔操作部１は、第２実施形態における遠隔操作部１に対して、可動型異常時プラント監視部６１をさらに具備している。可動型異常時プラント監視部６１は、遠隔操作部１から取り外し可能であり、前述の遠隔操作部内蔵バッテリ５０および表示器５１が設けられ、ネットワークに接続可能なネットワーク接続部６０を有している。
【００８６】
第３実施形態に係るプラント監視制御システムの制御装置３は、第２実施形態における制御装置３に対して、内蔵バッテリ切替器５２に代えて、異常時電源ライン切替器６４を具備している。
【００８７】
制御装置３の異常時電源ライン切替器６４は、スイッチと、異常時プラント監視部接続確認センサ６３とを有している。そのスイッチは正常用端子６４ａと異常用端子６４ｂと共通端子６４ｃと異常用端子６４ｄとを備え、共通端子６４ｃは電源装置１５ａおよび１５ｂと制御装置供給電源切替器２５−１、２５−２、入出力装置供給電源切替器２６、入出力信号切替器２７およびリレー部供給電源切替器２８−１〜２８−ｎの入力側に接続されている。正常用端子６４ａは電源装置１５ａおよび１５ｂの出力側に接続され、異常時電源ライン切替器６４は、異常時機能縮退モード指令信号２３の値が“０”である場合に正常用端子６４ａと共通端子６４ｃとを接続する。
【００８８】
異常用端子６４ｂは制御装置内蔵バッテリ５４の出力側に接続され、異常時電源ライン切替器６４は、異常時機能縮退モード指令信号２３の値が“１”であり、後述の切り替え信号の値が“０”である場合に異常用端子６４ｂと共通端子６４ｃとを接続する。異常用端子６４ｄはネットワーク上の遠隔操作部１の遠隔操作部内蔵バッテリ５０と制御装置３とを結ぶ異常時電源供給ライン６５に接続され、異常時電源ライン切替器６４は、異常時機能縮退モード指令信号２３の値が“１”である上に、異常時プラント監視部接続確認センサ６３が後述の検知信号を出力し、かつ、後述の切り替え信号の値が“１”である場合に異常用端子６４ｄと共通端子６４ｃとを接続する。
【００８９】
異常時プラント監視部接続確認センサ６３は、異常時電源ライン切替器６４内で異常時電源供給ライン６５上に設けられ、その異常時電源供給ライン６５を監視する。
【００９０】
第３実施形態に係るプラント監視制御システムでは、電源装置１５ａおよび１５ｂの両方が出力不能であり、設定監視専用機器８０−１ａ’に制御装置内蔵バッテリ５４から設定電圧を供給していて、制御装置内蔵バッテリ５４による設定電圧の連続供給に限界がある場合に、制御装置内蔵バッテリ５４から遠隔操作部１の遠隔操作部内蔵バッテリ５０に切り替える。
【００９１】
（作用）
次に、第３実施形態に係るプラント監視制御システムの動作について図８を用いて説明する。図８は第２実施形態と同様であるが、第３実施形態に係るプラント監視制御システムの動作については、第２実施形態に係るプラント監視制御システムの動作とは若干異なる。
【００９２】
ステップＳ１３において、異常時機能縮退モード切替指令器２１は、第２実施形態における内蔵バッテリ切替器５２に代えて、異常時電源ライン切替器６４に出力する異常時機能縮退モード指令信号２３の値を“０”にする。この場合、異常時電源ライン切替器６４は異常時機能縮退モード指令信号２３の値“０”に応じて正常用端子６４ａと共通端子６４ｃとを接続する。
【００９３】
ステップＳ２３において、異常時機能縮退モード切替指令器２１は、第２実施形態における内蔵バッテリ切替器５２に代えて、異常時電源ライン切替器６４に出力する異常時機能縮退モード指令信号２３の値を“１”にする。また、異常時機能縮退モード切替指令器２１は、異常時電源ライン切替器６４に出力する切り替え信号の値を“０”にする。この場合、異常時電源ライン切替器６４は、異常時機能縮退モード指令信号２３の値“１”、および、切り替え信号の値“０”に応じて、正常用端子６４ａと共通端子６４ｃとの接続を解除し、異常用端子６４ｂと共通端子６４ｃとを接続する。
【００９４】
図１０は、第３実施形態に係るプラント監視制御システムの動作として、図８のステップＳ２３の処理を示すフローチャートである。
【００９５】
たとえば異常発生の後に、遠隔操作部１のネットワーク接続部６０がネットワークに接続されたものとする。このとき、制御装置３の異常時電源ライン切替器６４内の異常時プラント監視部接続確認センサ６３は、異常時電源供給ライン６５を監視した結果、異常時電源供給ライン６５上に遠隔操作部内蔵バッテリ５０から供給される設定電圧を検知した場合、その旨を表す検知信号を異常時機能縮退モード切替指令器２１に出力する（ステップＳ３１−ＹＥＳ）。
【００９６】
前述のように、制御装置３の異常時機能縮退モード切替指令器２１は、異常時において、２つの電源装置１５ａおよび１５ｂとも出力不能になった場合に設定監視専用機器８０−１ａ’に制御装置内蔵バッテリ５４から設定電圧を供給している。そこで、異常時機能縮退モード切替指令器２１は、設定監視専用機器８０−１ａ’に制御装置内蔵バッテリ５４から設定電圧を供給してから、制御装置内蔵バッテリ５４の連続供給可能時間に達するまでカウントする。その結果、異常時機能縮退モード切替指令器２１は、異常時プラント監視部接続確認センサ６３から出力された検知信号を受け取り、かつ、制御装置内蔵バッテリ５４の連続供給可能時間に達した場合、制御装置内蔵バッテリ５４に代えて、ネットワークを介して遠隔操作部１の遠隔操作部内蔵バッテリ５０から設定監視専用機器８０−１ａ’に設定電圧を供給する（ステップＳ３２）。
【００９７】
具体的には、ステップＳ３２において、異常時機能縮退モード切替指令器２１は、制御装置内蔵バッテリ５４の連続供給可能時間に達した場合、異常時電源ライン切替器６４に出力する切り替え信号の値を“１”にする。この場合、異常時電源ライン切替器６４は、異常時機能縮退モード指令信号２３の値“１”、および、切り替え信号の値“１”に応じて、異常用端子６４ｂと共通端子６４ｃとの接続を解除し、異常用端子６４ｄと共通端子６４ｃとを接続する。
【００９８】
（効果）
第３実施形態に係るプラント監視制御システムでは、電源装置１５ａおよび１５ｂの両方が出力不能であり、設定監視専用機器８０−１ａ’に制御装置内蔵バッテリ５４から設定電圧を供給していて、制御装置内蔵バッテリ５４による設定電圧の連続供給に限界がある場合に、制御装置内蔵バッテリ５４から遠隔操作部１の遠隔操作部内蔵バッテリ５０に切り替える。このため、第３実施形態に係るプラント監視制御システムによれば、異常発生時に消費電力を抑制させながらプラントの監視を継続することができる。
【００９９】
［第４実施形態］
第４実施形態について、第３実施形態からの変更点のみ説明する。ここで、説明部分以外の部分は第３実施形態と同じである。
【０１００】
（構成）
図１１は、第４実施形態に係るプラント監視制御システムの構成を示すブロック図である。
【０１０１】
第４実施形態に係るプラント監視制御システムの遠隔操作部１の可動型異常時プラント監視部６１は、第３実施形態における可動型異常時プラント監視部６１に対して、機能縮退箇所選択器７１をさらに有している。
【０１０２】
（作用）
次に、第４実施形態に係るプラント監視制御システムの動作について説明する。
【０１０３】
図１２は、第４実施形態に係るプラント監視制御システムの動作として、図８のステップＳ２３の処理を示すフローチャートである。
【０１０４】
ステップＳ２３において、遠隔操作部１の可動型異常時プラント監視部６１は、遠隔操作部１のネットワーク接続部６０がネットワークに接続された場合、設定監視制御用機器８０−１ａの中から、設定監視専用機器８０−１ａ’よりも機能を縮退させる新規の設定監視専用機器を指定するための機能縮退箇所選択指令信号７３を制御装置３にネットワークを介して送信する（ステップＳ４１）。
【０１０５】
制御装置３の異常時機能縮退モード切替指令器２１は、機能縮退箇所選択器７１から送信された機能縮退箇所選択指令信号７３を受信した場合（ステップＳ４２−ＹＥＳ）、異常時機能縮退モード設定信号２２に代えて、機能縮退箇所選択器７１から送信された機能縮退箇所選択指令信号７３を記憶部８１に記憶する。すなわち、設定監視専用機器８０−１ａ’から新規の設定監視専用機器に更新する（ステップＳ４３）。
【０１０６】
この場合、ステップＳ２３において、制御装置３の異常時機能縮退モード切替指令器２１は、記憶部８１に記憶された機能縮退箇所選択指令信号７３に基づいて新規の設定監視専用機器に設定電圧を供給する。
【０１０７】
（効果）
第４実施形態に係るプラント監視制御システムによれば、第３実施形態における効果に加えて、機能縮退箇所選択器７１にて作業員が任意で縮退箇所を変更することができる。
【０１０８】
［他の実施形態］
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更、また各実施形態の特徴を組み合わせることができる。これら実施形態やその変形は、発明の範囲や要旨に含まれるとともに、特許請求の範囲に記載された発明とその均等の範囲に含まれる。
【符号の説明】
【０１０９】
１  …  遠隔操作部
２ａ  …  プラント操作信号
２ｂ  …  プラント監視信号
３  …  制御装置
４ａ、４ｂ  …  制御部
５−１〜５−ｎ  …  入力部
６−１〜６−ｎ  …  出力部
７−１〜７−ｎ  …  リレー部
８−１〜８−ｎ  …  その他の装置
９  …  入力信号
１０  …  出力データ
１１  …  トランスミッター
１２  …  フィールド部（センサ、機器等）
１３ａ、１３ｂ  …  分電盤
１４ａ、１４ｂ  …  電源監視器
１５ａ、１５ｂ  …  電源装置
１６  …  電源ライン
１７  …  トランスミッター電源供給元
１８  …  入出力装置
１９ａ、１９ｂ  …  電源系統
２０  …  異常時機能縮退モード設定器
２１  …  異常時機能縮退モード切替指令器
２２  …  異常時機能縮退モード設定信号
２３  …  異常時機能縮退モード指令信号
２４  …  電源監視信号
２５−１、２５−２  …  制御装置供給電源切替器
２６  …  入出力装置供給電源切替器
２７  …  入出力信号切替器
２８−１〜２８−ｎ  …  リレー部供給電源切替器
２９−１〜２９−ｎ  …  その他の装置供給電源切替器
３０ａ、３０ｂ    …  非常用電源
５０  …  遠隔操作部内蔵バッテリ
５１  …  表示器
５２  …  内蔵バッテリ切替器
５２ａ  …  正常用端子
５２ｂ  …  異常用端子
５２ｃ  …  共通端子
５３  …  トランスミッター電源切替器
５３ａ  …  正常用端子
５３ｂ  …  異常用端子
５３ｃ  …  共通端子
５４  …  制御装置内蔵バッテリ
５５  …  異常時プラント監視信号
６０  …  ネットワーク接続部
６１  …  可動型異常時プラント監視部
６３  …  異常時プラント監視部接続確認センサ
６４  …  異常時電源ライン切替器
６４ａ  …  正常用端子
６４ｂ  …  異常用端子
６４ｃ  …  共通端子
６４ｄ  …  異常用端子
６５  …  異常時電源供給ライン
７１  …  機能縮退箇所選択器
７３  …  機能縮退箇所選択指令信号
８０−１ａ〜８０−ｎａ、８０−１ｂ〜８０−ｎｂ  …  監視制御用機器
８０−１ａ’  …  設定監視専用機器
８１  …  記憶部
【図１】
2014199482.tif 000003
【図２】
2014199482.tif 000004
【図３】
2014199482.tif 000005
【図４】
2014199482.tif 000006
【図５】
2014199482.tif 000007
【図６】
2014199482.tif 000008
【図７】
2014199482.tif 000009
【図８】
2014199482.tif 000010
【図９】
2014199482.tif 000011
【図１０】
2014199482.tif 000012
【図１１】
2014199482.tif 000013
【図１２】
2014199482.tif 000014
【図１３】
2014199482.tif 000015